(57)【特許請求の範囲】
【請求項１】
美術館や博物館等の観覧施設内の展示物（５）が存在する観覧地点に設置され、所定の識別信号を発信可能な識別信号通信用送受信装置（８）を備えた固定送受信手段（１）と、
上記観覧施設の入り口付近に設置されると共に、観覧者（Ｍ）によって入力操作可能な入力装置（12）を備えた入力手段（３）と、
上記固定送受信手段（１）の送受信装置（８）から発信された上記識別信号を受信可能な展示物通信用送受信装置（28）と、上記観覧地点に存在する展示物（５）の展示物データが記憶されているデータメモリー装置（24）と、観覧者（Ｍ）によって押圧可能なデータ取込ボタン（29）と、上記データメモリー装置（24）から任意の展示物データを呼び出し可能な各種操作ボタン（30）と、観覧者（Ｍ）が上記展示物（５）の観覧地点に来ると上記送受信装置（28）にて上記固定送受信手段（１）から上記識別信号を受信し該識別信号に対応する展示物データが上記データメモリー装置（24）から出力されて映像化する画像表示装置（25）と、観覧者（Ｍ）が上記展示物（５）の観覧地点に来ると上記送受信装置（28）にて上記固定送受信手段（１）から上記識別信号を受信し該識別信号に対応する展示物データが上記データメモリー装置（24）から出力されて音声化する音声装置（26）とを、備えると共に、観覧者（Ｍ）が上記観覧施設内を携帯可能な携帯送受信手段（２）と、
上記観覧施設の出口付近に設置されると共に、観覧地点に存在する展示物（５）の展示物データが記憶された出力手段（４）とを、具備し、
該携帯送受信手段（２）は、上記入力手段（３）の入力装置（12）に設定入力された観覧者（Ｍ）の滞留時間データを記憶し、該滞留時間データに応じて上記観覧者（Ｍ）を案内する順路を上記画像表示装置（25）に表示すると共に、滞留時間に応じた観覧のポイントとなる所定の展示物（５）の固定送受信手段（１）から発信された識別信号のみを上記携帯送受信手段（２）が認識し、所定の展示物（５）の展示物データを出力するように構成し、かつ、上記各種操作ボタン（30）の操作により、上記所定の展示物（５）以外の展示物データを抽出して出力可能に構成し、
さらに、該携帯送受信手段（２）は、上記固定送受信手段（１）からの識別信号を受信した状態に於て、上記データ取込ボタン（29）が観覧者（Ｍ）にて押された場合に上記識別信号データを記憶し、記憶した識別信号データを上記出力手段（４）へ入力し該識別信号に対応する展示物データを上記出力手段（４）にてプリントアウト及び／又は記憶媒体に記憶するように構成したことを特徴とする観覧施設案内システム。
【請求項２】
上記携帯送受信手段（２）は、上記入力手段（３）の入力装置（12）に選択・入力された観覧者（Ｍ）の解説言語データを記憶し、該解説言語データに応じた展示物データを出力するように構成した請求項１記載の観覧施設案内システム。
【請求項３】
上記携帯送受信手段（２）は、上記入力手段（３）の入力装置（12）に設定入力された観覧者（Ｍ）の年齢データを記憶し、該年齢データに応じた展示物データを出力するように構成した請求項１又は２記載の観覧施設案内システム。
【請求項４】
上記携帯送受信手段（２）は、上記入力手段（３）の入力装置（12）に設定入力された観覧者（Ｍ）の利用目的データを記憶し、該利用目的データに応じた展示物データを出力するように構成した請求項１，２又は３記載の観覧施設案内システム。
【発明の詳細な説明】
【０００１】
【発明の属する技術分野】
本発明は、美術館や博物館等の観覧施設に於て、個々の観覧者に応じた展示物の解説や施設案内を行うことができる、観覧施設案内システムに関する。
【０００２】
【従来の技術】
従来、美術館や博物館等の観覧施設では、解説文が記されたパネルを各展示物の前に掲示し、観覧者にその解説文を読んでもらうことで展示物についての知識を深めてもらうようにしていた。
【０００３】
【発明が解決しようとする課題】
しかしながら、観覧施設にて得られる知識は一時的なものであり、日がたてば忘れてしまう人がほとんどであるという点や、美術や考古学や民俗学といったものに日頃親しみのない人、興味や関心の少ない若年層などには解説が難しく、解説文を読むことが面倒であると共に、外国からの観光客等にとって日本語での解説は理解できないという点、また、滞留時間に余裕のない人に対しては施設側がどのように案内していけば最良であるかという点など、いくつかの改善点があり、観覧施設側には、利用者（観覧者）に対して単に展示物を見せるだけではなく種々のサービスを提供することが求められていた。
【０００４】
そこで、本発明は、美術館や博物館等の観覧施設に於て、個々の観覧者に応じた展示物の解説や施設案内、さらにはデータを持ち帰ってより知識を深めることができる等、観覧者に対して観覧施設独特のサービスを提供することができる観覧施設案内システムを提供することを目的とする。
【０００５】
【課題を解決するための手段】
上述の目的を達成するために、本発明に係る観覧施設案内システムは、美術館や博物館等の観覧施設内の展示物が存在する観覧地点に設置され、所定の識別信号を発信可能な識別信号通信用送受信装置を備えた固定送受信手段と、上記観覧施設の入り口付近に設置されると共に、観覧者によって入力操作可能な入力装置を備えた入力手段と、上記固定送受信手段の送受信装置から発信された上記識別信号を受信可能な展示物通信用送受信装置と、上記観覧地点に存在する展示物の展示物データが記憶されているデータメモリー装置と、観覧者によって押圧可能なデータ取込ボタンと、上記データメモリー装置から任意の展示物データを呼び出し可能な各種操作ボタンと、観覧者が上記展示物の観覧地点に来ると上記送受信装置にて上記固定送受信手段から上記識別信号を受信し該識別信号に対応する展示物データが上記データメモリー装置から出力されて映像化する画像表示装置と、観覧者が上記展示物の観覧地点に来ると上記送受信装置にて上記固定送受信手段から上記識別信号を受信し該識別信号に対応する展示物データが上記データメモリー装置から出力されて音声化する音声装置とを、備えると共に、観覧者が上記観覧施設内を携帯可能な携帯送受信手段と、上記観覧施設の出口付近に設置されると共に、観覧地点に存在する展示物の展示物データが記憶された出力手段とを、具備し、該携帯送受信手段は、上記入力手段の入力装置に設定入力された観覧者の滞留時間データを記憶し、該滞留時間データに応じて上記観覧者を案内する順路を上記画像表示装置に表示すると共に、滞留時間に応じた観覧のポイントとなる所定の展示物の固定送受信手段から発信された識別信号のみを上記携帯送受信手段が認識し、所定の展示物の展示物データを出力するように構成し、かつ、上記各種操作ボタンの操作により、上記所定の展示物以外の展示物データを抽出して出力可能に構成し、さらに、該携帯送受信手段は、上記固定送受信手段からの識別信号を受信した状態に於て、上記データ取込ボタンが観覧者にて押された場合に上記識別信号データを記憶し、記憶した識別信号データを上記出力手段へ入力し該識別信号に対応する展示物データを上記出力手段にてプリントアウト及び／又は記憶媒体に記憶するように構成したものである。
【０００６】
また、上記携帯送受信手段は、上記入力手段の入力装置に選択・入力された観覧者の解説言語データを記憶し、該解説言語データに応じた展示物データを出力するように構成したものである。
【０００７】
また、上記携帯送受信手段は、上記入力手段の入力装置に設定入力された観覧者の年齢データを記憶し、該年齢データに応じた展示物データを出力するように構成したものである。
【０００８】
また、上記携帯送受信手段は、上記入力手段の入力装置に設定入力された観覧者の利用目的データを記憶し、該利用目的データに応じた展示物データを出力するように構成したものである。
【０００９】
【発明の実施の形態】
以下、実施の形態を示す図面に基づき、本発明を詳説する。
【００１０】
図１に示すように、本発明に係る観覧施設案内システムは、例えば、美術館や博物館（歴史館、民族博物館、化石資料館など）等の観覧施設に於て、個々の観覧者（利用者）に種々のサービスを行うことができるものである。
【００１１】
具体的に説明すると、図１は博物館の展示エリアの一例を示し、本実施の形態では、例えば古代エジプトゾーン41、古代ローマゾーン42、古代ギリシャゾーン43等のように国別に古代の様々な展示物が展示されており、これらのゾーン41，42，43を所定の順路（点線の矢印）に従って観覧するようになっている。また、45はこの展示エリアの入り口付近に設けられた入力ゾーンであり、46は出口付近に設けられた出力ゾーンであり、44は受付である。
【００１２】
しかして、図１と図４に示すように、本発明の観覧施設案内システムでは、識別信号を発信可能な固定送受信手段１を、このような展示エリアの観覧地点（展示物５の付近）に設置する。具体的に固定送受信手段１を設置する場所としては、例えば展示物５を載置する台の内部や、展示物５を収納したケース６の内部や、（パネル状の）展示物５を掛けた壁面７などとされており、各展示物５…に対して１個の固定送受信手段１が設置される。
【００１３】
この固定送受信手段１は、送受信装置８と、データメモリー装置９と、これら送受信装置８・データメモリー装置９を制御する制御ＣＰＵ装置10と、を備え、比較的小型に形成されている。このデータメモリー装置９には、展示物５を識別するための識別信号（識別番号データ）が記憶されている。
【００１４】
また、図１と図３に示すように、入力ゾーン45には入力手段３が設置される。この入力手段３は、制御ＣＰＵ装置11を備え、入力装置12と画像表示装置13と音声装置14と送受信装置15とが、制御ＣＰＵ装置11に各々接続される。また、脱着式のメモリーカード16を（図示省略の）データ読取装置を介して制御ＣＰＵ装置11に接続可能とするも良い。入力装置12は、入力操作を行う装置でありレバーやボタンなどで構成される。なお、画像表示装置13と一体になったタッチ入力機能付きモニタの場合もある。画像表示装置13は入力項目の表示を行う装置である。音声装置14は各状況に応じた音声や効果音を出す装置であり、送受信装置15は（後述する）携帯送受信手段２との通信（光通信や電波通信等）を行う装置である。そして、制御ＣＰＵ装置11は、コンピュータ機器で構成され、各種データの処理や周辺装置の制御・管理を行う装置である。メモリカード16は、入力手段３から携帯送受信手段２へデータの受渡しを行うデータ記憶装置である。
【００１５】
また、図１と図５に示すように、出力ゾーン46には出力手段４が設置される。この出力手段４は、制御ＣＰＵ装置17を備え、出力装置18と画像表示装置19と音声装置20と送受信装置21とデータメモリー装置22とが、制御ＣＰＵ装置17に各々接続される。また、上述した脱着式のメモリーカード16を（図示省略の）データ読取装置を介して制御ＣＰＵ装置17に接続可能とするも良い。出力装置18はプリンタ及び用紙カセットで構成され、展示物データをプリントアウトする装置である。画像表示装置19は各種指示及び演出画像の表示を行う装置である。音声装置20は各状況に応じた音声や効果音を出す装置であり、送受信装置21は（後述する）携帯送受信手段２との通信（光通信や電波通信等）を行う装置である。また、データメモリー装置22は、観覧地点に存在する各展示物５…の展示物データを記憶したり、入力手段３からの個人データを記憶する装置である。そして、制御ＣＰＵ装置17は、コンピュータ機器で構成され、各種データの処理や周辺装置の制御・管理を行う装置である。なお、大容量のメモリーカード16に各展示物５…の展示物データを記憶させ、かつ、入力手段３からの個人データを記憶させるようにしても良い。
【００１６】
また、図１〜図３に示すように、本発明の観覧施設案内システムでは、固定送受信手段１から発信された識別信号（識別番号データ）を受信可能な携帯送受信手段２が使用される。この携帯送受信手段２は、制御ＣＰＵ装置23を備え、データメモリー装置24と、画像表示装置25と、音声装置26と、入出力通信用の送受信装置27と、展示物通信用の送受信装置28と、データ取込ボタン29と、各種操作ボタン30と、電源（バッテリー）31とが、制御ＣＰＵ装置23に各々接続されている。また、脱着式のメモリーカード16を（図示省略の）データ読取装置を介して制御ＣＰＵ装置23に接続可能とするも良い。
【００１７】
携帯送受信手段２に於て、画像表示装置25は、利用動線の案内図や、展示物に関する各種映像を表示する装置である。また、音声装置26は各状況に応じた音声や効果音を出す装置であり、イヤホン又はヘッドホンあるいはスピーカが使用される。データメモリー装置24は、観覧地点に存在する各展示物５…の展示物データを記憶し、かつ、入力手段３にて入力した内容（個人データ）を記憶可能な装置である。データ取込ボタン29は所望の識別信号（識別番号データ）を記憶する際に操作するボタンである。各種操作ボタン30は状況に応じ指示等を行うためのボタンである。また、送受信装置27は入力時・出力時に入力手段３・出力手段４との通信を行う装置であり、送受信手段28は固定送受信手段１との通信を行う装置である。そして、制御ＣＰＵ装置23は、コンピュータ機器で構成され、これら周辺機器の制御・管理を行う装置である。
【００１８】
ところで、展示物データは、展示物５の製作過程の様子や技術的説明、製作された時代の様子や使用方法、それに関連した物や収蔵品等の解説データや、展示物５の裏側や見えにくい部分までも見ることができる立体映像データ等が備えられている。また、この展示物データは、観覧者の年齢に応じたもの、利用目的に応じたもの、日本語以外にも外国語で解説されたものなどが用意されている。また、個々の展示物５…の展示物データには識別するための識別信号（識別番号データ）が含まれている。
【００１９】
しかして、この観覧施設案内システムでは、図１と図３と図６に示すように、先ず、各観覧者Ｍは、受付44を通過した後、入力ゾーン45に入り、入力手段３に各種個人データを入力する。つまり、観覧者の氏名・年齢・性別等のデータや、利用目的（興味や関心のあること）データ、滞留時間（利用時間）データ、希望する解説言語（例えば日本語・英語・中国語・フランス語・ドイツ語等）データなどを入力手段３に入力する。なお、希望する解説言語を指定しなければ自動的に例えば日本語が選択されるようにしても良い。そして、入力手段３（送受信装置15）から携帯送受信手段２（送受信装置27）へ上記各種個人データを送信し、データメモリー装置24に記憶させる。あるいは、入力手段３に入力された各種個人データをメモリーカード16によって携帯送受信手段２へ受渡すようにしても良い。
【００２０】
その後、観覧者Ｍは、携帯送受信手段２を携帯して展示エリアへ移動するが、このとき、観覧者Ｍは、携帯送受信手段２を操作して滞留時間に応じた順路（最適動線の案内図）及び観覧のポイントを画像表示装置25の画面に表示することができ、その順路に従って展示エリアを周遊することができる。なお、これについて詳しくは後述する。滞留時間に余裕のある場合は、（点線の矢印の如く）通常の順路で案内されて展示物５…を観覧していくこととなる。
【００２１】
そして、図１と図４と図７に示すように、観覧者Ｍが展示物５の観覧地点に来ると、固定送受信手段１から発信された識別信号を携帯送受信手段２にて受信する。これによって、携帯送受信手段２に記憶されている全展示物データの中から受信した識別信号に対応する展示物データが呼び出されて映像化及び／又は音声化し、観覧者Ｍは映像や音声にてその展示物５の解説を受けることができる（図２参照）。なお、識別信号は、固定送受信手段１から常時発信されている場合、あるいは人が近づいた時にセンサ等が検知して発信する場合、又は観覧者Ｍの携帯送受信手段２の操作により発信される場合などが考えられる。
【００２２】
このとき、携帯送受信手段２によって解説される内容は、観覧者Ｍの個人データに対応したものとなっている。即ち、携帯送受信手段２に予め記憶されている展示物データ中から、観覧者Ｍの年齢、利用目的、希望する解説言語等に応じた内容が呼び出され、映像化及び／又は音声化する。例えば、子供には分かり易い言葉や内容で解説し、大人には専門的な内容で詳しく解説するというように、年齢に応じた解説や、利用目的（興味や関心のあること）に応じた解説や、観覧者Ｍが希望し選択した言語での解説とされる。このとき、例えば、解説言語を英語で選択していれば、携帯送受信手段２のイヤホーンにて英語の解説が聴けたり、画面に英語の解説文が表示される。
【００２３】
また、このように携帯送受信手段２にて解説を受けながら観覧しているときに、観覧者Ｍが任意の展示物５の展示物データを持ち帰りたい場合は、（図２で説明した）データ取込ボタン29を押すことにより、その展示物データに対応する識別信号（識別番号データ）をデータメモリー装置24やメモリーカード16に記憶蓄積しておく。また、携帯送受信手段２の各種操作ボタン30を用いて興味のある項目───例えば古代エジプト───を選択すれば、選択した項目のより詳しいデータが解説されるように構成する。
【００２４】
このようにして、観覧者Ｍは、案内された順路に従って展示物５…を観覧していき、その後、出力ゾーン46に入ると、図５と図８に示すように、携帯送受信手段２に記憶蓄積した識別信号（識別番号データ）を出力手段４へ送る。即ち、携帯送受信手段２の（入出力通信用の）送受信装置27から出力手段４の送受信装置21へ識別信号を（光通信等にて）送信する。あるいは、識別信号が記憶蓄積されたメモリーカード16を携帯送受信手段２から抜き取って出力手段４へ接続して識別信号を受渡す。これによって、観覧者Ｍが任意に取込んだ識別信号に対応する展示物データが出力手段４の出力装置18から解説用紙32としてプリントアウトされる。図10はプリントアウトされた解説用紙32の一例を示し、この解説用紙32には展示物５…のカラー写真、名称、発掘場所や使用目的等の解説や、観覧者Ｍの氏名、観覧施設の名称、日付等が印刷され、観覧者Ｍは持ち帰って資料として記録保存することができる。
【００２５】
ところで、本発明の観覧施設案内システムでは、図９に示すように、入力ゾーン45に於て、（上述の如く）滞留時間データや利用目的データ等の個人データを携帯送受信手段２へ入力しておくことにより、観覧者Ｍは携帯送受信手段２を操作して画面に滞留時間に応じた順路（最適動線の案内図）及び観覧のポイントを表示することができ、その順路に従って展示エリアを周遊することができる。
【００２６】
このとき、観覧のポイントとなる所定の展示物５の固定送受信手段１から発信された識別信号のみを携帯送受信手段２が認識し、所定の展示物５の展示物データが携帯送受信手段２にて映像化及び／又は音声化されるように構成している。つまり、観覧者Ｍが、観覧のポイントとなる展示物５の観覧地点に来ると、携帯送受信手段２によって自動的に展示物データが映像化・音声化されて解説が始まる。なお、観覧のポイント以外では、携帯送受信手段２によって自動的に展示物データが映像化・音声化されないが、観覧者Ｍが観覧のポイント以外の展示物５も解説を受けたい場合は、各種操作ボタン30の操作によりその展示物５の展示物データを呼び出し、映像化・音声化して解説を視聴することができる。
【００２７】
このように、観覧施設をゆっくり見て廻る時間がない場合でも、主要な展示物５や利用目的に関係するような展示物５を確実にかつゆとりをもって観覧することができ、また（上述したように）携帯送受信手段２に識別信号を記憶蓄積し、出力ゾーン46の出力手段４にて識別信号に対応する展示物データの解説用紙32をプリントアウトすることができるので、ゆっくり見れなかった展示物５についても後で解説用紙32の解説を読んで内容を詳しく知ることができる。
【００２８】
以上は博物館の場合を例にとって説明したが、恐竜博物館であれば、展示されている恐竜の化石や骨格標本に対して、携帯送受信手段２を通じてその恐竜の姿をＣＧ映像にて見たり、恐竜の鳴き声を聴いたりすることができる。また、美術館においては、作品の作者の顔写真やプロフィール、作品が作られた時代背景、作者のアトリエの様子、作品についての秘話や具体的な説明等を、携帯送受信手段２を通じて知ることができる。
【００２９】
なお、本発明は上述の実施の形態に限定されず、例えば、固定送受信手段１に予め展示物データを記憶させておき、固定送受信手段１から発信された展示物データを携帯送受信手段２にて受信して映像化や音声化して解説するようにしても良い。このとき、展示物データ中に識別信号（識別番号データ）を含ませておくことにより、データ取込ボタン29を押すと携帯送受信手段２にて識別信号を記憶し、（上述のように）出力手段４にて識別信号に対応する展示物データをプリントアウトすることができる。
【００３０】
また、携帯送受信手段２にて展示物データを受信した後、各種操作ボタン30を操作することにより、展示物データ中から個人データに対応した内容が抽出されて映像化及び／又は音声化して解説するように構成する。つまり、個々の観覧者Ｍに応じた内容や言語等で解説を視聴することができるようにする。
【００３１】
また、本実施の形態では、観覧後に出力手段４にて展示物データをプリントアウトすることを述べたが、これに限らず、出力手段４にて展示物データを記憶媒体（例えばＣＤ−ＲやＣＤ−ＲＷ等）に記憶し、観覧者が自宅のパソコンで視聴できるようにするも好ましい。あるいは、解説用紙と記憶媒体の両方あるいは選択して持ち帰れるようにしても良い。また、入力手段３と携帯送受信手段２との通信、及び携帯送受信手段２と出力手段４との通信は、無線に限らず有線であっても良い。
【００３２】
【発明の効果】
本発明は上述の如く構成されるので、次に記載する効果を奏する。
【００３３】
（請求項１によれば）観覧者Ｍが展示物５を観覧する際、携帯送受信手段２を用いて展示物５についての解説や映像を視聴することができ、単に観覧する場合に比べて興味や関心や好奇心が喚起されると共に、理解し易くなって知識が深まり強く印象に残すことができる。
一方、観覧施設側としては、観覧者Ｍに対して、展示物５についての様々な情報を提供できるという観覧施設独特のサービスを提供することができると共に、展示物５…に関する説明スペースを極小化でき、展示スペースの有効活用を行うことができる。
また、携帯送受信手段２側に展示物データが記憶され、かつ、携帯送受信手段２が識別信号を受信してから展示物データが映像化及び／又は音声化するので、１つの展示物５の所に複数の観覧者Ｍが（同時ではなく）時間がずれてばらばらに集まっても、各観覧者Ｍは常に最初から解説を受けることができる。
【００３４】
（請求項１によれば）観覧者Ｍの滞留時間に応じた順路（最適動線の案内図）及び観覧のポイントを携帯送受信手段２にて表示することができ、観覧者Ｍはその順路に従って展示エリアを周遊することができる。従って、滞留時間が短い場合でも、主要な展示物５を見逃すことなく確実にかつゆとりをもって有意義に観覧することができる。
【００３５】
（請求項２によれば）外国からの観光客（観覧者Ｍ）などでも自国の言語にて解説を受けることができるので、異国の観覧施設の展示物５でも十分理解を深めることができる。
【００３６】
（請求項３によれば）子供には分かり易い言葉や内容で解説し、大人には専門的な内容で詳しく解説するというように、観覧者Ｍが自分の年齢に応じた最適な解説を受けることができる。
【００３７】
（請求項４によれば）展示物５の時代背景や当時の大衆文化、また展示物５の技術的説明や特徴、使用方法など、観覧者Ｍは興味や関心のあること（利用目的）に対応した最適な解説を受けることができる。従って、美術や考古学や民俗学等といったものに日頃親しみのない人でも、興味や関心をもって楽しく知識を深めることができる。
【００３８】
（請求項１によれば）観覧者Ｍが任意に選択した展示物５の展示物データを、解説用紙32としてプリントアウト及び／又は記憶媒体（ＣＤ−ＲやＣＤ−ＲＷ等）に記憶して持ち帰ることができ、学習用の資料として利用や保管することができる。また、そのデータを繰り返し見ることができるので、知識をより一層深めることができる。
【００３９】
（請求項１〜４の各項によれば、）入力手段３に於ける入力データ（観覧者データ）から、利用状況を正確に把握でき、効果的な観覧施設の運営が行える。
【図面の簡単な説明】
【図１】  本発明に係る観覧施設案内システムを説明する説明図である。
【図２】  携帯送受信手段の外観を示す正面図である。
【図３】  入力手段及び携帯送受信手段の構成を説明しかつデータ送信状況を説明するブロック図である。
【図４】  固定送受信手段の構成を説明しかつ携帯送受信手段とのデータ送受信状況を説明するブロック図である。
【図５】  出力手段の構成を説明しかつ携帯送受信手段からのデータ送信状況を説明する説明図である。
【図６】  入力ゾーンにおける観覧者の操作行動を示す説明図である。
【図７】  展示物の解説を受けている状態を示す説明図である。
【図８】  出力ゾーンにおける観覧者の操作行動を示す説明図である。
【図９】  滞留時間に応じた順路に従って展示品エリアを周遊する状態を示す説明図である。
【図10】  出力手段にてプリントアウトした解説用紙を示す図である。
【符号の説明】
１  固定送受信手段
２  携帯送受信手段
３  入力手段
４  出力手段
５  展示物
８  送受信装置
12  入力装置
24  データメモリー装置
25  画像表示装置
26  音声装置
28  送受信装置
29  データ取込ボタン
30  各種操作ボタン
Ｍ  観覧者
【図１】
0004657471.tif 000002
【図２】
0004657471.tif 000003
【図３】
0004657471.tif 000004
【図４】
0004657471.tif 000005
【図５】
0004657471.tif 000006
【図６】
0004657471.tif 000007
【図７】
0004657471.tif 000008
【図８】
0004657471.tif 000009
【図９】
0004657471.tif 000010
【図１０】
0004657471.tif 000011